(57)【要約】【課題】コーナ壁面への取り付け、取り外し作業を迅速に行うことができて、構造簡単コンパクトなコーナ棚を提供する。【解決手段】操作板７の表面を上下の一方側に向けて棚本体１内に挿入して押動すると、押出し用カム１６により左右の針付きスライダ９Ｌ、９Ｒ、１１Ｌ、１１Ｒが外方に移動してそれぞれの針３１が左右取付面５Ｌ、５Ｒの外方に突出し、操作板７の裏面を前記上下の一方側に向けて棚本体１内に挿入して押動すると、引込み用カム１７により左右の針付きスライダ９Ｌ、９Ｒ、１１Ｌ、１１Ｒが内方に移動してそれぞれの針３１が前記左右取付面５Ｌ、５Ｒの内方に退入するように構成している。【選択図】　図１
2004008375.tif 000002
【特許請求の範囲】
【請求項１】
コーナ壁面に接する左右取付面と正面とを側周に備えた棚本体と、それぞれ棚本体にスライド可能に収容されると共に先端に針を備えた左右の針付きスライダと、棚本体に正面から挿脱可能に挿入される操作板とを備え、操作板の表面には押出し用カムが、裏面には引込み用カムがそれぞれ形成され、操作板の表面を上下の一方側に向けて棚本体内に挿入して押動すると、前記押出し用カムにより左右の針付きスライダが外方に移動してそれぞれの針が前記左右取付面の外方に突出し、操作板の裏面を前記上下の一方側に向けて棚本体内に挿入して押動すると、前記引込み用カムにより左右の針付きスライダが内方に移動してそれぞれの針が前記左右取付面の内方に退入するように構成したことを特徴とするコーナ棚。
【請求項２】
左右の針付きスライダは基端側にカム従動用突部を備え、押出し用カムは先端側に三角形状に突出するカム面部を備えて、操作板の前進により前記カム面部に接する左右の前記カム従動用突部を介して左右の針付きスライダが外方に移動するように構成される一方、引込み用カムは先端側にハ字状に開くカム面部を備えて、操作板の前進により前記カム面部に接する左右の前記カム従動用突部を介して左右の針付きスライダが内方に移動するように構成されている請求項１記載のコーナ棚。
【請求項３】
棚本体は板状体からなり、その平面視形状が略二等辺直角三角形、略四分の一円形、略五角形のいずれかである請求項１または２記載のコーナ棚。
【請求項４】
棚本体はキャビネット、抽き出し、吊り棚等を一体的に備えたものである請求項１または２記載のコーナ棚。
【請求項５】
コーナ壁面に接する左右取付面と正面とを側周に備えた棚本体と、それぞれ棚本体にスライド可能に収容されると共に先端に針を備えた左右の針付きスライダと、それぞれ棚本体に正面から挿脱可能に挿入される取り付け用操作板と取り外し用操作板とを備え、取り付け用操作板には押出し用カムが形成され、取り付け用操作板を棚本体内に挿入して押動すると、前記押出し用カムにより左右の針付きスライダが外方に移動してそれぞれの針が前記左右取付面の外方に突出するように構成し、取り外し用操作板には引込み用カムが形成され、取り外し用操作板を棚本体内に挿入して押動すると、前記引込み用カムにより左右の針付きスライダが内方に移動してそれぞれの針が前記左右取付面の内方に退入するように構成したことを特徴とするコーナ棚。
【発明の詳細な説明】
【０００１】
【発明の属する技術分野】
本発明は、住宅や事務所の部屋、トイレ、風呂場等の三角コーナ部の壁面に取り付けて使用されるコーナ棚に関するものである。
【０００２】
【従来の技術】
部屋等の三角コーナ部の壁面にコーナ棚を取り付ける通常の方法は、Ｌ字形金具などを用いて、コーナ壁面にコーナ棚を釘付けしたり、ネジ締めしたりする方法である。しかしこの取り付け方法では、別部材のＬ字形金具などを用いるため、取り付け作業が煩雑になると共に、見栄えが悪いという問題があり、特にコーナ壁面からコーナ棚を取り外す作業が困難であるという問題があった。
【０００３】
このような問題点を解消するため、実用新案第３０３０９８号公報にＬ字形金具などの別部材を用いることなく、比較的簡便にコーナ壁面に対する取り付け、取り外し作業を行えるコーナ棚が提案されている。この従来例は図１６に示すように、コーナ棚本体５１にスライド可能に収容されると共に先端に針５２を備えた左右の針付きスライダ５３を有し、コーナ棚本体５１の裏面に設けた操作つまみ５４を回転させることにより、この回転動作をベベルギヤ５５、回転シャフト５６等を介して左右の針付きスライダ５３の進退動に変換するように構成したものである。この従来例によれば、前記操作つまみ５４を正方向に回転することにより、左右の針付きスライダ５３を外方に移動させて、これらの針５２をコーナ壁面に突き刺してコーナ棚を取り付けることができ、また前記操作つまみ５４を逆方向に回転することにより、左右の針付きスライダ５３を内方に移動させて、これらの針５２をコーナ壁面から抜き取り、コーナ棚を取り外すことができる。
【０００４】
【発明が解決しようとする課題】
しかしながら、上記従来例では、操作つまみ、ベベルギヤ、回転シャフト等を設ける必要があって、構造が複雑で高価になると共に、嵩張ってコンパクトに構成することが困難になり、また見栄えが悪くなるという問題があった。また針付きスライダをコーナ壁面に突き刺すために大きな力を要するのであるが、そのためには操作つまみ１回転当りの針付きスライダの移動量を小さく設定する必要があって、コーナ棚の取り付け、取り外しを完了するまでには操作つまみを多数回回転させなければならず、作業に比較的長い時間を要するという問題点もあった。
【０００５】
【課題を解決するための手段】
本発明のコ−ナ棚は上記従来例の問題点を解消するため、コーナ壁面に接する左右取付面と正面とを側周に備えた棚本体と、それぞれ棚本体にスライド可能に収容されると共に先端に針を備えた左右の針付きスライダと、棚本体に正面から挿脱可能に挿入される操作板とを備え、操作板の表面には押出し用カムが、裏面には引込み用カムがそれぞれ形成され、操作板の表面を上下の一方側に向けて棚本体内に挿入して押動すると、前記押出し用カムにより左右の針付きスライダが外方に移動してそれぞれの針が前記左右取付面の外方に突出し、操作板の裏面を前記上下の一方側に向けて棚本体内に挿入して押動すると、前記引込み用カムにより左右の針付きスライダが内方に移動してそれぞれの針が前記左右取付面の内方に退入するように構成したことを特徴とする。
【０００６】
上記発明において、左右の針付きスライダは基端側にカム従動用突部を備え、押出し用カムは先端側に三角形状に突出するカム面部を備えて、操作板の前進により前記カム面部に接する左右の前記カム従動用突部を介して左右の針付きスライダが外方に移動するように構成される一方、引込み用カムは先端側にハ字状に開くカム面部を備えて、操作板の前進により前記カム面部に接する左右の前記カム従動用突部を介して左右の針付きスライダが内方に移動するように構成されていると好適である。
【０００７】
本発明は、実施形態に示される略二等辺直角三角形の板状棚本体を有するコーナ棚に適用しうる外、図１６に示す平面視形状が略四分の一円形（扇形）のものや、平面視形状が略五角形のもの等にも適用でき、この場合には円弧面等が本発明で云う正面となる。
【０００８】
また本発明のコーナ棚には、キャビネット、抽き出し、吊り棚等を棚本体に一体的に備えた、いわゆるコーナ部設置家具が含まれている。
【０００９】
また本発明の左右針付きスライダは、実施形態に示されるように、前後２組備わっている場合の外、３組以上の場合や単に１組のみの場合であってもよい。
【００１０】
さらに上記発明のコーナ棚では、１枚の操作板に押出し用カムと引込み用カムとを形成し、構造の一層の簡単化を図っているが、多少この点を犠牲にして、押出し用カムが形成された取り付け用操作板と、引込み用カムが形成された取り外し用操作板との２枚の操作板を有する構造とすることも可能である。
【００１１】
【発明の効果】
本発明によれば、板状の操作板の挿入押動動作によって、左右の針付きスライダを進退動させることができ、しかも好適には１枚の操作板によりコーナ棚の取り付け、取り外しの両作業を行うことができるので、構造が簡単で安価なものとすることができる上に、コンパクトで見栄えの良いものとすることができる。また操作板に形成した押出し用カムや引込み用カムを利用して、操作板の押動操作で針付きスライダの進退動を行うので、コーナ棚の取り付け、取り外し作業を迅速に行うことができる。
【００１２】
【発明の実施の形態】
以下、本発明の実施形態について、図面を参照しながら説明する。
【００１３】
図１〜図７において、１は平面視形状が略二等辺直角三角形で板状の棚本体であって、上板２と下板３とを接着一体化して構成されている。この棚本体１の側周に位置する左右の面は、コーナ壁面４Ｌ、４Ｒに接する左取付面５Ｌ、右取付面５Ｒとなっていて、両者は同長で直角に交っている。前記棚本体１の側周の前側に位置する正面６には、操作板７を挿脱可能に案内する操作板ガイド穴８が、正面６の中央部からこれに直交する方向に奥側に向けて設けられている。左取付面５Ｌの前側には前側の左針付きスライダ９Ｌをスライド可能に案内する左前案内穴１０Ｌが、左取付面５Ｌの後側には後側の左針付きスライダ１１Ｌをスライド可能に案内する左後案内穴１２Ｌが、それぞれ左取付面５Ｌに開口するようにして設けられている。右取付面５Ｒの前側には前側の右針付きスライダ９Ｒをスライド可能に案内する右前案内穴１０Ｒが、右取付面５Ｒの後側には後側の右針付きスライダ１１Ｒをスライド可能に案内する右後案内穴１２Ｒが、それぞれ右取付面５Ｒに開口するようにして設けられている。図１に示すように、左前案内穴１０Ｌと右前案内穴１０Ｒとは、正面６に平行に一直線上に位置するように設けられ、それぞれの内端は前記操作板ガイド穴８に交わってこれと連通している。左後案内穴１２Ｌと右後案内穴１２Ｒとは、正面６に平行に一直線上に位置するように設けられ、それぞれの内端は前記操作板ガイド穴８に交わってこれと連通している。上記４つの案内穴１０Ｌ、１０Ｒ、１２Ｌ、１２Ｒは、横断面形状が同一の長方形状である。なお、棚本体１の上面１３および下面１４は平坦面に形成されている。
【００１４】
前記上板２は樹脂板からなり、その下面に前記操作板ガイド穴８、各案内穴１０Ｌ、１０Ｒ、１２Ｌ、１２Ｒ等を構成するための凹凸部が一体形成されている。前記下板３は樹脂板からなり、その上面に前記操作板ガイド穴８等を構成するための凹凸部が一体形成されている。
【００１５】
前記操作板７は樹脂で構成され、図５〜図８等に示すように、略長方形の基板部１５と、その表面側に隆起形成された押出し用カム１６と、基板部１５の裏面側に隆起形成された引込み用カム１７とからなり、棚本体１の正面６から前記操作板ガイド穴８に挿脱可能に挿入しうるように構成されている。
【００１６】
前記押出し用カム１６は、図５に示すように、操作板７の中心線に対し左右対称の略Ｔ形状の板状カムであって、基端側に広幅部１９を有すると共に先端側に鋭角の二等辺三角部２１を有し、その２辺がカム面（カム面部）１８、１８となっている。また押出し用カム１６の広幅部１９の近傍位置には指掛け用凹部２０が形成されている。
【００１７】
前記引込み用カム１７は、図６に示すように、操作板７の中心線に対し左右対称の略Ｕ形状の板状カムであって、基端辺部２２と左右の側辺部２３、２３とからなり、両側辺部２３、２３の先端部の内面側が斜めに切欠かれたカム面（カム面部）２４、２４となっている。両カム面２４、２４は先端側に向けてハ字状に開き、両者のなす角は鋭角となっている。
【００１８】
前記押出し用カム１６の広幅部１９の左右端および前記引込み用カム１７の両側辺部２３、２３の左右端に対し前記基板部１５の左右端がそれぞれ側方に張り出した位置にあり、図５等に示すようにこの左右の張出部２５、２５が棚本体１の操作板ガイド穴８の両内側面に設けた溝２６、２６に嵌合するようになっている。
【００１９】
前記操作板７の基端面２７の形状は、図２、図３、図５に示すように、横長の長方形を基本形状とし、その両側面に前記張出部２５、２５が突出する形状となっているが、棚本体１の操作板ガイド穴８の横断面形状も同様の形状となっていて、操作板７が操作板ガイド穴８に案内されてスムースに前後動できるように構成されている。また図１に示すように、操作板７を操作板ガイド穴８の最奥まで挿入したとき、操作板７の基端面２７が棚本体１の正面６と面一となるように構成されている。
【００２０】
棚本体１の下面１４の正面側左右方向中央には、図４に示すように、切欠窓部２８を設け、前記指掛け用凹部２０や前記基端辺部２２を利用して、操作板７を引き出しやすくしている。
【００２１】
前記前側の左針付きスライダ９Ｌは、図１、図７〜図１１に示すように、樹脂製のスライダ本体２９の外端面３０に植設された２本の金属製の針３１、３１を備えると共に、内端側下面にカム従動用突部３２を一体に備えている。
【００２２】
前記スライダ本体２９の横断面形状は、棚本体１の左前案内穴１０Ｌのそれと同一の長方形状となっている。そして前記針付きスライダ９Ｌは、図１に示すように、前記左前案内穴１０Ｌ内に左右動自在に収容され、その左右動によって前記針３１、３１が棚本体１の左取付面５Ｌから出没するように構成されている。前記針３１、３１が図６等に示すように、最大限外部に突出するとき、スライダ本体２９の外端面３０が前記左取付面５Ｌと面一となるよう、外端面３０は斜面に形成されている。
【００２３】
前記スライダ本体２９の内端側部分は、図７、図９に示すように下面側が抉られて薄肉部３３となっており、この薄肉部３３の下面に前記カム従動用突部３２が円柱状に一体形成されている。スライダ本体２９の薄肉部３３以外の部分の下面と、前記カム従動用突部３２の下端面とは同一高さ位置にある。
【００２４】
前記前側の右針付きスライダ９Ｒは、前記前側の左針付きスライダ９Ｌと左右対称な形状に形成され、同様に２本の針３１、３１、カム従動用突部３２を備え、同様に前記右前案内穴１０Ｒ内に左右動自在に収容されている。
【００２５】
前記後側の左右の針付きスライダ１１Ｌ、１１Ｒは、互いに左右対称となる形状を有している。また後側の左右針付きスライダ１１Ｌ、１１Ｒは、図１、図１２、図１３に示すように、外端面３０に１本の針３１しか有さず、又短寸である点で前側の針付きスライダ９Ｌ、９Ｒと相違している点を除き、これと基本的に同一形態に形成され、同様のカム従動用突部３２を備えると共に、同様に前記左後案内穴１２Ｌおよび右後案内穴１２Ｒに左右動自在に収容されている。
【００２６】
次に前記操作板７の挿入押動操作と各針付きスライダ９Ｌ、９Ｒ、１１Ｌ、１１Ｒの動きの関係につき説明する。
【００２７】
前記操作板７を図５、図１４に示すように、押出し用カム１６が形成された表面を上側にして、前記操作板ガイド穴８に挿入して押動すると、各針付きスライダ９Ｌ、９Ｒ、１１Ｌ、１１Ｒのカム従動用突部３２に押出し用カム１６のカム面１８、１８が当接して、各針付きスライダ９Ｌ、９Ｒ、１１Ｌ、１１Ｒを左右方向外方に移動させ、それぞれの針３１が棚本体１の左右取付面５Ｌ、５Ｒの外方に突出するように構成されている。図１４の（ａ）は、各針付きスライダ９Ｌ、９Ｒ、１１Ｌ、１１Ｒが退入位置にあって、棚本体１に挿入された操作板７の押出し用カム１６のカム面１８、１８が前側の左右針付きスライダ９Ｌ、９Ｒのカム従動用突部３２に当接する直前の状態を示している。この状態からさらに操作板７を前進させると、図１４の（ｂ）に示すように、前側の左右針付きスライダ９Ｌ、９Ｒは押出し用カム１６によって左右方向外方に移動させられ、これらの外端面３０が棚本体１の左右取付面５Ｌ、５Ｒと面一となる位置に達し、これらの針３１は完全に外方に突出する。続いて操作板７を前進させると、後側の左右針付きスライダ１１Ｌ、１１Ｒは押出し用カム１６によって左右方向外方に移動させられ、これらの外端面３０が前記左右取付面５Ｌ、５Ｒと面一となる位置に達し、これらの針３１も完全に外方に突出する。図１４の（ｃ）は、操作板７を最奥位置まで挿入した状態を示しているが、この（ｃ）に示すように、各針付きスライダ９Ｌ、９Ｒ、１１Ｌ、１１Ｒの針３１は、棚本体１の左右取付面５Ｌ、５Ｒの外方に突出しているのである。
【００２８】
一方前記操作板７を図１、図６、図１５に示すように、引込み用カム１７が形成された裏面を上側にして、前記操作板ガイド穴８に挿入して押動すると、各針付きスライダ９Ｌ、９Ｒ、１１Ｌ、１１Ｒのカム従動用突部３２に引込み用カム１７のカム面２４、２４が当接して、各針付きスライダ９Ｌ、９Ｒ、１１Ｌ、１１Ｒを左右方向内方に移動させ、それぞれの針３１が棚本体１の左右取付面５Ｌ、５Ｒの内方に退入するように構成されている。図１５の（ａ）は、各針付きスライダ９Ｌ、９Ｒ、１１Ｌ、１１Ｒが突出位置にあって、棚本体１に挿入された操作板７の引込み用カム１７のカム面２４、２４が前側の左右針付きスライダ９Ｌ、９Ｒのカム従動用突部３２に当接する直前の状態を示している。この状態からさらに操作板７を前進させると、図１５の（ｂ）に示すように、前側の左右針付きスライダ９Ｌ、９Ｒは引込み用カム１７によって左右方向内方に移動させられ、最内方に達し、これらの針３１は棚本体１の左右取付面５Ｌ、５Ｒの内方に退入する。続いて操作板７を前進させると、後側の左右針付きスライダ１１Ｌ、１１Ｒは引込み用カム１７によって左右方向内方に移動させられ、最内方に達し、これらの針３１も前記左右取付面５Ｌ、５Ｒの内方に退入する。そして図１に示すように、操作板７を最奥位置まで挿入したとき、各針付きスライダ９Ｌ、９Ｒ、１１Ｌ、１１Ｒの針３１は、棚本体１の左右取付面５Ｌ、５Ｒの内方に退入しているのである。
【００２９】
なお操作板７の挿入押動操作によって、各針付きスライダ９Ｌ、９Ｒ、１１Ｌ、１１Ｒの上記移動がスムースになされるよう、各カム面１８、２４と各カム従動用突部３２との位置関係等が、図面に示すように、適正に定められている。また上記実施形態では、操作板７の挿入方向と各針付きスライダ９Ｌ、９Ｒ、１１Ｌ、１１Ｒの移動方向とが直交する関係となっているが、直交しなくてもよい。
【００３０】
次に上記構成のコーナ棚を部屋の三角コーナ部の壁面４Ｌ、４Ｒに取り付ける作業について説明する。
【００３１】
先ず、棚本体１を、その左右取付面５Ｌ、５Ｒがコーナ壁面４Ｌ、４Ｒに接するようにして保持し、次いで押出し用カム１６が形成された表面を上側に向けて操作板７を棚本体１の正面６の操作板ガイド穴８に挿入して押し込む。この押し込み力によって図１４の（ａ）〜（ｃ）で説明したように、各針付きスライダ９Ｌ、９Ｒ、１１Ｌ、１１Ｒは左右方向外方に移動し、各々の針３１がコーナ壁面４Ｌ、４Ｒに刺し込まれ、コーナ棚の取り付け作業が終了する。通常のコーナ壁面４Ｌ、４Ｒに対しては、操作板７の押動力が押出し用カム１６の増力作用（カム面１８、１８間のなす角が小さい程増力倍率は大となる。）によって増大されるので、人の押し込み力だけで十分コーナ棚の取り付け作業を行うことができるが、コーナ壁面４Ｌ、４Ｒが硬い材質のものである場合などは、木ハンマーなどによって操作板７を打ち込むことによって、前記取り付け作業を行えばよい。
【００３２】
コーナ棚の取り付け作業が終了すると、前記操作板７は棚本体１内にそのまま収容され、その基端面２７は棚本体１の正面６と面一状態になり、見栄えが悪くなるのを防ぐと共に、コーナ棚の取り外し作業時にすぐに使える状態にしておくことができる。
【００３３】
次に上記コーナ棚を前記コーナ壁面４Ｌ、４Ｒから取り外す作業について説明する。
【００３４】
先ず、棚本体１に収容されている操作板７を前記操作板ガイド穴８から抜き取る。次いで操作板７の上下を逆にして、引込み用カム１７が形成された裏面を上側に向けて操作板７を前記操作板ガイド穴８に挿入して押し込む。この押し込み力によって図１５の（ａ）、（ｂ）および図１で説明したように、各針付きスライダ９Ｌ、９Ｒ、１１Ｌ、１１Ｒは左右方向内方に移動し、各々の針３１は壁面４Ｌ、４Ｒから抜け、コーナ棚の取り外し作業を行うことができる。この取り外し作業は、一旦コーナ壁面４Ｌ、４Ｒに刺し込まれた針３１を抜き取るだけでよく、抜き取るための力はそれほど大きなものは必要ではないので人の押し込み力だけで十分である。
【図面の簡単な説明】
【図１】本発明の実施形態に係るコーナ棚の図３のＡ−Ａ断面明図。
【図２】上記コーナ棚の斜視図。
【図３】上記コーナ棚の正面図。
【図４】上記コーナ棚の底面図。
【図５】上記コーナ棚において押出し用カムを上にして操作板を棚本体に挿入する直前の斜視図。
【図６】上記コーナ棚において引込み用カムを上にして操作板を棚本体に挿入する直前の斜視図。
【図７】上記コーナ棚をコーナ壁面から取り外す作業中の状態（仮想線でコーナ棚がコーナ壁面に取り付けられている状態を示している。）を示す横断正面図。
【図８】操作板を示す背面図。
【図９】前側の針付きスライダを示す正面図。
【図１０】前側の針付きスライダを示す平面図。
【図１１】前側の針付きスライダを示す底面図。
【図１２】後側の針付きスライダを示す正面図。
【図１３】後側の針付きスライダを示す底面図。
【図１４】（ａ）、（ｂ）、（ｃ）に針付きスライダを左右方向外方に移動させて各針を突出させる動作を順次示す縦断平面図。
【図１５】（ａ）、（ｂ）に針付きスライダを左右方向内方に移動させて各針を退入させる動作を順次示す縦断平面図。
【図１６】従来例を裏面側から見た斜視図。
【符号の説明】
１　棚本体
４Ｌ、４Ｒ　コーナ壁面
５Ｌ、５Ｒ　左右取付面
６　正面
７　操作板
９Ｌ、９Ｒ、１１Ｌ、１１Ｒ　針付きスライダ
１６　押出し用カム
１７　引込み用カム
１８、１８　カム面（カム面部）
２４、２４　カム面（カム面部）
３１　針
３２　カム従動用突部
【図１】
2004008375.tif 000003
【図２】
2004008375.tif 000004
【図３】
2004008375.tif 000005
【図４】
2004008375.tif 000006
【図５】
2004008375.tif 000007
【図６】
2004008375.tif 000008
【図７】
2004008375.tif 000009
【図８】
2004008375.tif 000010
【図９】
2004008375.tif 000011
【図１０】
2004008375.tif 000012
【図１１】
2004008375.tif 000013
【図１２】
2004008375.tif 000014
【図１３】
2004008375.tif 000015
【図１４】
2004008375.tif 000016
【図１５】
2004008375.tif 000017
【図１６】
2004008375.tif 000018